(57)【要約】【課題】蓄電池交換サイクルを長延化できる無停電電源装置を提供する。【解決手段】蓄電池を備えた無停電電源装置であって、蓄電池運用後の蓄電池充電率が、蓄電池設置時の蓄電池充電率よりも高くなるように運用されていることを特徴とする無停電電源装置。【選択図】図１
2020099150.tif 000002
【特許請求の範囲】
【請求項１】
蓄電池を備えた無停電電源装置であって、
蓄電池運用後の蓄電池充電率が、蓄電池設置時の蓄電池充電率よりも高くなるように運用されていることを特徴とする無停電電源装置。
【請求項２】
請求項１に記載の無停電電源装置であって、
蓄電池の劣化進行あるいは蓄電池の使用時間経過にともなって蓄電池充電率を高める充電制御を行うことを特徴とする無停電電源装置。
【請求項３】
請求項１または請求項２に記載の無停電電源装置であって、
蓄電池運用後の蓄電池充電率が蓄電池設置時の蓄電池充電率よりも高くなるように段階的に運用されるとともに、段階的に蓄電池充電率を高くする時期、及び高くする蓄電池充電率を決定し運用することを特徴とする無停電電源装置。
【請求項４】
請求項１から請求項３のいずれか１項に記載の無停電電源装置であって、
停電補償時間を選択し、負荷率に応じて蓄電池充電率を低く抑えることを特徴とする無停電電源装置。
【請求項５】
交流電源と蓄電池から負荷に給電するとともに、交流電源から蓄電池を充電するようにされた無停電電源装置であって、
前記蓄電池の蓄電池充電率を求める蓄電池監視装置と、前記負荷への給電を制御するとともに、前記蓄電池への充放電を制御する制御装置を備え、
前記制御装置は蓄電池運用後の蓄電池充電率が、蓄電池設置時の蓄電池充電率よりも高くなるように運用することを特徴とする無停電電源装置。
【発明の詳細な説明】
【技術分野】
【０００１】
本発明は無停電電源装置に関する。
【背景技術】
【０００２】
無停電電源装置は、主電源を商用交流電源、バックアップ電源を蓄電池とし、主電源が停電したとき蓄電池を昇圧・直流交流変換することで負荷への給電を継続する。係る無停電電源装置においては、蓄電池が負荷へ電力を給電し続けることができる時間である停電補償時間が公称時間以下になった場合は、蓄電池交換を行う。蓄電池交換はユーザーまたは保守サービスによって無停電電源装置の使用途中に定期的に行う必要がある。
【０００３】
無停電電源装置は、主電源から蓄電池への充電機能を備えている。従来の無停電電源装置は定電圧定電流充電方式を用いている。定電圧定電流充電方式では、蓄電池電圧が所望の一定電圧になるまで充電を行う。蓄電池は使用経過時間とともに劣化が進行し実効容量が低下していくので、蓄電池劣化進行に伴い充電モードを切り替えることで定電圧定電流充電方式に比べて、蓄電池交換サイクルを長延化できる。
【０００４】
無停電電源装置における上記問題点に対する対応策として、以下の方式が知られている。特許文献１では使用開始時からの経過時間をカウントしておき、経過時間が進むにしたがって、リチウムイオン二次電池への充電電圧を高くする充電制御手段を備え、リチウムイオン二次電池の使用開始初期において停電補償時間の要求に対して必要以上の過剰充電を防止することが明細書段落０００４および０００７に示されている。
【０００５】
特許文献２では蓄電池使用時間や温度、地域のデータによる劣化判定部が劣化判定をすると、蓄電池への充電制御を切り換え、バックアップ時間をできる限り確保しながら蓄電池の劣化進行を抑制している。
【０００６】
特許文献３では蓄電池の放電深度によって領域を第１放電領域、第２放電領域の２つに分類し、部分的に過放電となりやすい第１放電領域では蓄電池への放電制御を切り換え放電レートに制限を設け蓄電池の劣化進行を抑制している。
【０００７】
いずれの特許文献においても、リチウムイオン蓄電池劣化抑制技術として劣化判定アルゴリズム、もしくは、時間進行による充放電制御の切り換えを行うことで必要以上の蓄電池劣化を防止している。
【先行技術文献】
【特許文献】
【０００８】
【特許文献１】特開２００５−２７８３３４号公報
【特許文献２】特開２０１７−１６８３２８号公報
【特許文献３】特開２０１４−２１６２６６号公報
【発明の概要】
【発明が解決しようとする課題】
【０００９】
上記特許文献による劣化防止策によれば、蓄電池の充電電圧を固定にしているため、蓄電池使用初期においては必要以上の劣化進行を促してしまう。また蓄電池寿命期においては実効容量が低下しているので停電補償時間を確保できない。結果として蓄電池交換サイクルが短くなってしまうという課題があった。
【００１０】
このことから本発明においては、蓄電池交換サイクルを長延化できる無停電電源装置を提供することを目的とする。
【課題を解決するための手段】
【００１１】
以上のことから本発明においては、「蓄電池を備えた無停電電源装置であって、蓄電池運用後の蓄電池充電率が、蓄電池設置時の蓄電池充電率よりも高くなるように運用されていることを特徴とする無停電電源装置」としたものである。
【００１２】
また本発明は、「交流電源と蓄電池から負荷に給電するとともに、交流電源から蓄電池を充電するようにされた無停電電源装置であって、蓄電池の蓄電池充電率を求める蓄電池監視装置と、負荷への給電を制御するとともに、蓄電池への充放電を制御する制御装置を備え、制御装置は蓄電池運用後の蓄電池充電率が、蓄電池設置時の蓄電池充電率よりも高くなるように運用することを特徴とする無停電電源装置。」としたものである。
【発明の効果】
【００１３】
本発明により無停電電源装置の蓄電池交換サイクルを長延化できる。
【図面の簡単な説明】
【００１４】
【図１】本発明に係る無停電電源装置の一例を示す概略図。
【図２】蓄電池の劣化進行とともに容量維持率が低下する一例を示す模式図。
【図３】劣化進行（横軸）と蓄電池充電率（縦軸）、蓄電池実効容量の関係を示す模式図。
【図４】蓄電池使用途中で充電率をＮ回上昇させた場合の実効容量を示す模式図。
【図５】本発明の実施例に係る蓄電池充電モードの切り換え方法を示す模式図。
【図６】ノーマルモードを選択したときの表示模式図。
【図７】寿命延長モードを選択したときの表示模式図。
【図８】蓄電池劣化進行度から充電率上昇を行う一例を示すフローチャート。
【図９】寿命延長モードの停電補償時間に必要な放電深度を決定する一例を示すフローチャート。
【発明を実施するための形態】
【００１５】
以下、本発明に係る無停電電源装置の実施例について図面を用いて詳細に説明する。
【実施例１】
【００１６】
図１は本発明に係る無停電電源装置の一例を示す概略図である。はじめに図１を用いて本発明に係る無停電電源装置の構成と、その動作の一例について説明する。
【００１７】
無停電電源装置１２７は、主交流電源１０１とバイパス交流電源１０２からなる２つ以上の交流電源と、蓄電池１０５に接続され、これらから負荷装置１１２に給電する。なお主交流電源１０１とバイパス交流電源１０２の主電源は別系統であっても同一系統であっても良い。
【００１８】
図１の無停電電源装置は具体的には、主交流電源１０１から主交流電源入力開閉器１０３、順変換機１０８、直流電源（直流回路）１３０、逆変換器１０９、交流出力開閉器１２１を介して負荷装置１１２に接続している。またバイパス交流電源１０２からバイパス交流入力開閉器１０４、交流半導体スイッチ１１１を介して負荷装置１１２に接続している。さらに蓄電池１０５から、蓄電池１０５と無停電電源装置１２７の間の開閉器１０６，１０７、双方向直流変換器１１０、直流回路１３０、逆変換器１０９、交流出力開閉器１２１を介して負荷装置１１２に接続している。
【００１９】
上記主回路構成の無停電電源装置１２７は、制御装置１２０により制御されている。制御装置１２０による交流電源側制御は、以下のように行われる。まず、主交流電源１０１の電圧および周波数が正常範囲内である場合に主交流電源入力開閉器１０３を導通状態にする。同様に制御装置１２０は、バイパス交流電源１０２の電圧および周波数が正常範囲内である場合にバイパス交流入力開閉器１０４を導通状態にする。
【００２０】
また制御装置１２０は、順逆の電力変換器１０８，１０９、並びに交流半導体スイッチ１１１に作用する。これにより主交流電源１０１は、順変換器１０８の交流直流変換によって直流電源１３０に変換され、直流電源１３０は、逆変換器１０９の直流交流変換によって再び交流電源に変換される。したがって交流出力１２９は主交流電源入力開閉器１０３と交流出力開閉器１２１を導通状態にすることで主交流電源１０１から得ることができる。また交流出力１２９は、バイパス交流入力開閉器１０４と交流半導体スイッチ１１１とを導通状態にすることで順逆の電力変換器１０８，１０９を介さずにバイパス交流電源１０２から得ることができる。交流出力１２９は交流半導体スイッチ１１１と交流出力開閉器１２１との導通状態を瞬時に切り替えることによって無瞬断で給電を継続できる。したがって負荷装置１１２は無停電電源装置１２７の運転状態に関わらず動作を継続することが出来る。
【００２１】
制御装置１２０による蓄電池側制御は、以下のように行われる。蓄電池側制御では、双方向直流変換器１１０により、蓄電池１０５の充放電を制御する。蓄電池１０５は、順変換器１０８および直流変換器１１０によって直流電源１３０から充電される。また蓄電池１０５の放電により、直流変換器１１０および逆変換器１０９を介して負荷装置１１２へ給電する。主交流電源１０１が停電または擾乱を受けるとき、無停電電源装置１２７の制御装置１２０は順変換器１０８を停止させ、そのうえで蓄電池１０５の蓄電電力によって負荷装置１１２への給電状態を維持することができる。
【００２２】
無停電電源装置１２７における上記運用は、制御装置１２０と蓄電池監視装置１２６により実現されている。次に図１を用いて本発明に係る無停電電源装置１２７の制御装置１２０と蓄電池監視装置１２６について説明する。
【００２３】
無停電電源装置１２７の制御装置１２０は代表的な制御入力として次のものを備える。図１においてこれらの入力は、交流電源入力電圧検出器１１３、主交流電源入力電流検出器１１４、バイパス交流電源入力電圧検出器１１５、出力交流電圧検出器１１６、出力交流電流検出器１１７、無停電電源装置の制御に係る蓄電池電圧検出器１１８、無停電電源装置の制御に係る蓄電池電流検出器１１９からの検出信号である。また、蓄電池監視装置１２６と無停電電源装置１２７とのインタフェースにより得られる入力信号１２８である。
【００２４】
また蓄電池監視装置１２６は代表的な制御入力として次のものを備える。ただし、蓄電池１０５は、直列にあるいは直並列に接続された複数の単位蓄電池により構成されており、例えばｍ組の単位蓄電池を有する場合に、各組の単位蓄電池における電池電圧と電流が蓄電池監視装置１２６に取り込まれている。これらは例えば、図１において、１番目の単位蓄電池に係る電池電圧検出器１２２、２番目の単位蓄電池に係る電池電圧検出器１２３、ｎ番目の単位蓄電池に係る電池電圧検出器１２４（ｎ＝２，３，４，．．．）、１番目の単位蓄電池に係る電池温度検出器１３１、ｍ番目の単位蓄電池に係る電池温度検出器１３２（ｍ＝２，３，４，．．．）、および、蓄電池１０５に係る総合電流についての電池電流検出器１２５である。
【００２５】
蓄電池監視装置１２６はこれらの制御入力から蓄電池充電状態および劣化推定を行う。無停電電源装置１２７の制御装置１２０は、蓄電池監視装置１２６から蓄電池監視装置１０５と無停電電源装置１２７との間のインタフェースを介して蓄電池充電状態および劣化推定についての情報を入力信号１２８として受け取る。
【００２６】
無停電電源装置１２７の制御装置１２０は、上記入力を総合的に処理して、最終的には順変換器１０８、逆変換器１０９、双方向直流変換器１１０における波形制御、および、主交流電源入力開閉器１０３、バイパス交流入力開閉器１０４、蓄電池と無停電電源装置の間の開閉器１０６、１０７、交流半導体スイッチ１１１、交流出力開閉器１２１におけるシーケンシャル制御などを行う。無停電電源装置１２７の制御装置１２０におけるこれらの制御は、すでに知られた手法であるので、ここでの詳細説明は割愛する。また本発明はこれらの制御手法に関与するものではない。
【００２７】
本発明は、双方向直流変換器１１０を用いた蓄電池の充電制御に係るものである。次に、本発明による実施方法を説明する。
【００２８】
本発明の蓄電池充電制御においては、無停電電源装置１２７はインタフェースを介して蓄電池監視装置１２６で求めた蓄電池充電状態および劣化推定についての情報を入力信号１２８として受け取り、入力信号１２８に含まれる蓄電池充電率の情報に基づいて、所望の充電率に到達するまで蓄電池１０５を充電する。
【００２９】
本実施例における充電率は、定格蓄電容量に対する現在の蓄積電荷量の割合のことである。具体的には例えば、電池電流検出器１２５による充放電電流を積算することによって充電率を計算している。上述の充電率による充放電制御をすることで、蓄電池充電率を所望の充電率の範囲に据え置くことが出来る。所望の充電率とは蓄電池監視装置１２６から受け取った入力信号１２８を元に無停電電源装置１２７の制御装置１２０が演算した結果である。蓄電池監視装置１２６が提供する制御情報（入力信号１２８）には、例えば、温度、蓄電池セル電圧、蓄電池充電率、蓄電池劣化推定情報などであるが、これ以外の制御情報も利用しても良い。蓄電池を充電率によって制御する手法は、蓄電池を単に所定の充電電圧まで充電した場合と比較して、蓄電池の劣化進行、あるいは、使用経過時間に応じた蓄電池管理を可能にする。
【００３０】
本発明に係る充電率制御の考え方について、以下にさらに詳細に説明する。
【００３１】
図２は蓄電池劣化進行とともに蓄電池の容量維持率が低下する一例を示す模式図である。図２は、横軸に劣化進行状態、縦軸に初期容量維持率（％）を取り、初期充電率毎の容量維持率の特性を示したものである。
【００３２】
一般に蓄電池は劣化進行あるいは時間経過とともに蓄電電力量が低下していく。図２は、この蓄電電力量の低下状態を示しており、例えば初期充電率が９５％の蓄電池は劣化進行とともに容量維持率２０１の特性を示す。同様にして、初期充電率９０％の蓄電池容量維持率は２０２、初期充電率８０％の蓄電池容量維持率は２０３、初期充電率７０％の蓄電池容量維持率は２０４の特性をそれぞれ示す。これらの特性によれば、初期の蓄電池充電率が低いほど劣化進行に伴う容量低下の割合は緩やかである。
【００３３】
ここでさらに蓄電池実効容量の概念について説明すると、蓄電池の実効容量とは、蓄電池充電率に容量維持率を乗じたものである。したがっておのおのの充電率ごとに蓄電池実効容量が５０％になる点は図２において次のように示すことが出来る。それぞれ、初期充電率９５％の蓄電池が実効容量５０％になる点は２０５、初期充電率９０％の蓄電池が実効容量５０％になる点は２０６、初期充電率８０％の蓄電池が実効容量５０％になる点は２０７、初期充電率７０％の蓄電池が実効容量５０％になる点初期充電率７０％の蓄電池が実効容量５０％になる点は２０８である。この蓄電池実効容量が５０％になる点について、初期充電率が高いほど劣化進行の早い時期に蓄電池実効容量が５０％に到達するということが言える。
【００３４】
蓄電池における図２に示した以上の傾向を考慮し、本発明においては蓄電池使用初期において充電率を低く抑えて使用し、劣化進行度合いに応じて順次充電率を高くするように使用することを提案するものである。また具体的には、順次充電率を高くすることを、階段状の切換動作により実現する。
【００３５】
図３を用いて本発明の実施例に係る蓄電池充電率の切換動作の一例について説明する。なお図３の上段は劣化進行（横軸）と蓄電池充電率（縦軸）の関係を、図３の下段は劣化進行（横軸）と蓄電池実効容量（縦軸）の関係を示している。
【００３６】
本実施例では図３の上段に示すように、蓄電池使用初期Ｔ１において充電率を低く抑えて使用する。例えば、蓄電池使用初期Ｔ１では初期充電率は７０％として蓄電池充電率７０％を示す線３０１に従うとする。このとき図３の下段に示す蓄電池実効容量は、蓄電池充電率７０％の蓄電池実効容量３０２のように低下するものとして示すことが出来る。なお参考までに、蓄電池使用初期Ｔ１において初期充電率を８０％としたときの、図３の下段に示す蓄電池実効容量は、蓄電池充電率８０％の蓄電池実効容量３０７で表される。この３０２と３０７の比較に明らかなように、蓄電池使用初期状態Ｔ１では充電率を低く（７０％）抑えているため、充電率が高い（８０％）場合に比べ、実効容量低下を抑えることができる。
【００３７】
本発明の実施例では、蓄電池使用初期Ｔ１において上記運用としたうえで、蓄電池使用途中で充電率の切換制御を行う。ここでは最初に実効容量５０％になった時点ｔ１で、充電率を１０％上昇させて８０％とした例を示している。図３の下段では、補充電１０％を実施する点が３０５で示されている。これにより充電率は８０％となり、図３の上段において３０１から蓄電池充電率８０％を示す線３０３に移行する。同時に劣化進行に伴う蓄電池実効容量の低下特性も、図３の下段に示すように３０７から蓄電池充電率８０％の蓄電池実効容量３０４の傾きとなる。
【００３８】
上記運用とした場合の本発明の実施例に係る効果について説明する。ここでは時点ｔ１における上記の運用変更後にさらに、再び蓄電池実効容量が５０％になる点３０６の時点ｔ２に着目する。また初期充電率８０％で据え置いた場合の特性３０７について、蓄電池実効容量が５０％になる時点ｔ３に着目する。ｔ２とｔ３の比較に明らかなように、３０８の期間だけ、より長期間蓄電池を使用することが出来る。なお、本実施例で示した初期充電率、充電率上昇幅は説明のための一例であり、これらの数字が異なっていても同様に適用できる。
【００３９】
上記により本発明の実施例に係る無停電電源装置においては、蓄電池使用初期においては充電率を低く抑える。このことによって蓄電池使用初期の劣化進行を抑制する。また蓄電池使用途中で目標充電率を高める。このことによって蓄電池実効容量が低下した寿命期においても必要な停電補償時間を確保することができる。
【実施例２】
【００４０】
実施例２では、実施例１における蓄電池使用途中での１段階の充電率切換制御に対してＮ段階（Ｎ＝２，３，４，．．．）の充電率切換制御を行う場合を示している。
【００４１】
図４を用いて実施例２の制御内容を説明する。なお図４の縦横軸項目は、図３の縦横軸項目と同じである。また図４において、初期充電率（７０％）およびその運転期間は図２と同じＴ１であり、最初に実効容量５０％になった時点ｔ１で、充電率を１０％上昇させて８０％としたものとする。
【００４２】
この事例では、例えば、初期充電率が蓄電池充電率７０％を示す線４０５に従うとすると、実効容量は充電率７０％時の実効容量低下率３０２で示される。実効容量が５０％に到達した時点ｔ１で、１回目の充電率切換制御（１０％補充電）４０９を実施する。これにより充電率は８０％になるので、充電率８０％を示す線４０６に遷移する。同時に実効容量も充電率８０％時の実効容量低下率４０２に従う。
【００４３】
その後時刻ｔ２において実効容量が再度５０％に到達すると、２回目の充電率切換制御（１０％補充電）４１０を実施する。これにより充電率は９０％になるので、充電率９０％を示す線４０７に遷移する。同時に実効容量も充電率９０％時の実効容量低下率４０３に従う。
【００４４】
次に時刻ｔ４において実効容量が再再度５０％に到達すると、３回目の充電率切換制御（Ｍ％補充電）（Ｎ．Ｍ＝１，２，３，．．．）４１１を実施する。これにより充電率は（９０＋Ｍ）％になるので、充電率（９０＋Ｍ）％を示す線４０８に遷移する。同時に実効容量も充電率（９０＋Ｍ）％時の実効容量低下率４０４に従う。このように実効容量の低下に伴って蓄電池使用途中にＮ回の充電率切り換えを実施できる。
【００４５】
なお、本実施例で示した実効容量の低下の限度値は説明のための一例であり、これらの実施判定閾値が異なっていても同様に適用できる。
【実施例３】
【００４６】
実施例３では実施例１、実施例２における無停電電源装置について述べる。図５は無停電電源装置の概形模式図である。
【００４７】
はじめに図５を用いて本発明の実施例に係る蓄電池充電モードの切り換え方法について説明する。図５に示す無停電電源装置のキャビネット５０１は、前面部に液晶表示設定器５０２を備える。使用者は液晶表示設定器５０２の設定部を操作することによって無停電電源装置の蓄電池充電のモードを任意に選択することができる。実施例では、次の２つのモードを有する。モード１はノーマルモードと呼び、モード２は寿命延長モードと呼ぶ。
【００４８】
図６はノーマルモードを選択したときの表示模式図である。なお、液晶表示設定器５０２の設定部の表示画面には、最初初期画面が設定されておりこの中からメニュー画面を選択し、さらにメニュー画面の中からシステム設定画面を選択し、動作設定を選択するように順次遷移することで、蓄電池充電モード選択画面６０１に至る。
【００４９】
ノーマルモード選択中の蓄電池充電モード選択画面６０１は、蓄電池充電モードを示す部分６０２と出力負荷率を示す部分６０３とを有する。ノーマルモードは実施例１、実施例２で記述したように、初期充電率を低く抑えながら、停電補償時間が確保できるように充電率を制御するものである。
【００５０】
図７は寿命延長モードを選択したときの表示模式図である。なお、液晶表示設定器５０２の設定部の表示画面には、最初初期画面が設定されておりこの中からメニュー画面を選択し、さらにメニュー画面の中からシステム設定画面を選択し、動作設定を選択するように順次遷移することで、蓄電池充電モード選択画面７０１に至る。
【００５１】
寿命延長モード選択中の蓄電池充電モード選択画面７０１は蓄電池充電モードを示す部分７０２と出力負荷率を示す部分７０３と停電補償時間を選択する部分７０４から構成される。停電補償時間を選択する部分７０４によって停電時のバックアップ給電継続時間を設定することができる。寿命延長モードでは停電補償時間、および、出力負荷率の情報から必要な蓄電池充電率を計算する。
【００５２】
図８は充電率変更を行う場合のフローチャートの一例である。図８の処理においては、まず処理ステップＳ８０１において現在の設定充電率を読み出し、処理ステップＳ８０２において蓄電池使用経過時間を読み出し、処理ステップＳ８０３において停電補償時間確保のために必要な放電深度情報読み出す。これらの情報から処理ステップＳ８０４において容量低下度を決定する。なお蓄電池容量低下率は予めテーブルとして格納しておいても近似によって算出しても良い。また実効容量は充電率と蓄電池容量低下率の積によって決定できる。
【００５３】
次に処理ステップＳ８０５において、実効容量が放電深度＋５％を上回るか否か判定を行い、不十分である場合は処理ステップＳ８０７に移行して充電率を＋５％上昇させる処理を実行し、十分である場合は処理ステップＳ８０６に移行して停電補償時間を満たす場合の処理を実行する。
【００５４】
図９は放電深度を計算するフローチャートの一例である。図９の実施例では、処理ステップＳ９０１において寿命延長モードかそれ以外かを判定する。寿命延長モードの場合は処理ステップＳ９０２に移って出力負荷率の時間平均データを読み出し、続いて処理ステップＳ９０３において停電補償時間の設定値を読み出す。処理ステップＳ９０４では必要な放電深度を演算する。およびノーマルモードの停電補償時間と寿命延長モードの停電補償時間の比によって計算が行われる。最後に処理ステップＳ９０５において放電深度情報ＤＯＤ１を更新する処理を実行して一連の処理は終了する。なお処理ステップＳ９０１の判断において寿命延長モード以外とされた場合には、処理ステップＳ９０６において、放電深度情報ＤＯＤ１に５０％を供給する。
【００５５】
なお、本実施例で選択可能な放電深度選択モードはノーマルモード、寿命延長モードの他にもあっても良い。
【符号の説明】
【００５６】
１０１：主交流電源
１０２：バイパス交流電源
１０３：主交流電源入力開閉器
１０４：バイパス交流入力開閉器
１０５：蓄電池
１０６，１０７：蓄電池と無停電電源装置の間の開閉器
１０８：順変換器
１０９：逆変換器
１１０：双方向直流変換器
１１１：交流半導体スイッチ
１１２：負荷装置
１１３：主交流電源入力電圧検出器
１１４：主交流電源入力電流検出器
１１５：バイパス交流電源入力電圧検出器
１１６：出力交流電圧検出器
１１７：出力交流電流検出器
１１８：無停電電源装置の制御に係る蓄電池電圧検出器
１１９：無停電電源装置の制御に係る蓄電池電流検出器
１２０：無停電電源装置の制御装置
１２１：交流出力開閉器
１２２：１番目の蓄電池監視装置に係る電池電圧検出器
１２３：２番目の蓄電池監視装置に係る電池電圧検出器
１２４：ｎ番目の蓄電池監視装置に係る電池電圧検出器
１２５：蓄電池監視装置に係る電池電流検出器
１２６：蓄電池監視装置
１２７：無停電電源装置
１２８：入力信号
１２９            交流出力
１３０：直流電源
１３１：１番目の蓄電池監視装置に係る電池温度検出器
１３２：ｍ番目の蓄電池監視装置に係る電池温度検出器（ｍ＝２，３，４，．．．）
２０１：初期充電率９５％の蓄電池容量維持率
２０２：初期充電率９０％の蓄電池容量維持率
２０３：初期充電率８０％の蓄電池容量維持率
２０４：初期充電率７０％の蓄電池容量維持率
２０５：初期充電率９５％の蓄電池が実効容量５０％になる点
２０６：初期充電率９０％の蓄電池が実効容量５０％になる点
２０７：初期充電率８０％の蓄電池が実効容量５０％になる点
２０８：初期充電率７０％の蓄電池が実効容量５０％になる点
３０１：蓄電池充電率７０％を示す線
３０２：蓄電池充電率７０％の蓄電池実効容量
３０３：蓄電池充電率８０％を示す線
３０４：蓄電池充電率８０％の蓄電池実効容量
３０５：補充電１０％を実施する点
３０６：蓄電池充電率変更後に再び蓄電池実効容量が５０％になる点
３０７：初期から蓄電池充電率８０％で据え置いた場合の蓄電池実効容量
３０８：初期充電率８０％で据え置いた場合と比した蓄電池実効容量が５０％になる点
４０２：充電率８０％時の実効容量低下率
４０３：充電率９０％時の実効容量低下率
４０４：充電率９５％時の実効容量低下率
４０５：充電率７０％を示す線
４０６：充電率８０％を示す線
４０７：充電率９０％を示す線
４０８：充電率９５％を示す線
４０９：１回目の充電率切換制御（１０％補充電）
４１０：２回目の充電率切換制御（１０％補充電）
４１１：Ｎ回目の充電率切換制御（Ｍ％補充電）（Ｎ．Ｍ＝１，２，３，．．．）
５０１：無停電電源装置のキャビネット
５０２：液晶表示器
６０１：ノーマルモード選択中の蓄電池充電モード選択画面
６０２：蓄電池充電モードを示す部分
６０３：出力負荷率を示す部分
７０１：寿命延長モード選択中の蓄電池充電モード選択画面
７０２：蓄電池充電モードを示す部分
７０３：出力負荷率を示す部分
７０４：停電補償時間を選択する部分
【図１】
2020099150.tif 000003
【図２】
2020099150.tif 000004
【図３】
2020099150.tif 000005
【図４】
2020099150.tif 000006
【図５】
2020099150.tif 000007
【図６】
2020099150.tif 000008
【図７】
2020099150.tif 000009
【図８】
2020099150.tif 000010
【図９】
2020099150.tif 000011